(57)【要約】  【課題】  記録再生機器に対して簡単に文字入力を行なう。  【解決手段】  記録再生機器（ＤＶＤレコーダ）１１と、コンピュータ１５をネットワーク１４で接続し、記録再生機器１１に対して文字入力を行なうべく入力手段１６を操作することで、記録再生機器１１からコンピュータ１５に対して、文字入力処理要求を送り、コンピュータがその文字入力処理要求を受けたことで、コンピュータ１５を文字入力状態に設定し、コンピュータ１５に入力された文字列を、ネットワーク１４を介して記録再生機器１１に伝送する。記録再生機器１１では、送られた文字列を取り込んで利用する。  【選択図】 図１
2005078709.tif 000002
【特許請求の範囲】
【請求項１】
記録媒体に対して情報の記録再生を行なう記録再生機器と、
この記録再生機器とネットワークを介して接続され、文字入力処理が実行されるコンピュータと、
前記記録再生機器に設けられ、前記コンピュータの文字入力処理によって入力された文字列情報を前記ネットワークを介して受け取る制御手段と、
を具備したことを特徴とする記録再生機器の文字入力システム。
【請求項２】
記録媒体に対して情報の記録再生を行なう記録再生機器と、
この記録再生機器とネットワークを介して接続されたコンピュータと、
前記記録再生機器を文字入力を受け付け可能状態に設定すると共に、前記ネットワークを介して前記コンピュータに文字入力要求を通知し、当該コンピュータに入力された文字列情報を前記ネットワークを介して受け取る制御手段と、
を具備したことを特徴とする記録再生機器の文字入力システム。
【請求項３】
記録媒体に対して情報の記録再生を行なう記録再生機器と、
複数の操作キーを備え、前記記録再生機器の複数種の機能を制御することが可能な入力手段と、
前記記録再生機器とネットワークを介して接続されたコンピュータと、
前記入力手段の操作に基づいて、前記記録再生機器を文字入力を受け付け可能状態に設定すると共に、前記ネットワークを介して前記コンピュータに文字入力要求を通知し、さらに当該コンピュータに入力された文字列情報を前記ネットワークを介して受け取る制御手段であって、当該制御手段が、前記文字入力要求通知を前記コンピュータに送信した後は、前記入力手段の操作によって制御される前記記録再生機器の機能の一部または全部を制御不可能に制限し、前記コンピュータから前記文字列情報を受け取った後は、前記入力手段に対する前記制限を解除するものであることを特徴とする記録再生機器の文字入力システム。
【請求項４】
前記入力手段がリモートコントローラであることを特徴とする請求項３に記載の記録再生機器の文字入力システム。
【請求項５】
前記記録再生機器を複数有し、前記コンピュータから前記文字列を前記複数の記録再生機器に前記ネットワークを介して送信するものであることを特徴とする請求項１乃至４のいずれかに記載の記録再生機器の文字入力システム。
【請求項６】
記録媒体に対して情報の記録再生を行なう記録再生手段と、
文字情報を入力可能状態に設定する設定手段と、
外部コンピュータに対してネットワークを介してデータを伝送しかつデータを受け取る通信手段と、
前記設定手段によって文字情報入力可能状態に設定された際に、前記通信手段を介して文字情報入力要求通知を送出すると共に、前記ネットワークを介して伝送される文字情報を受け取る制御手段と、
を具備したことを特徴とする記録再生機器。
【請求項７】
さらに当該記録再生機器の複数の機能を制御することが可能な入力手段を備え、前記設定手段が前記入力手段によって制御され文字情報を入力可能状態に設定し、さらに前記制御手段が前記文字情報入力要求通知を送出した際に、前記入力手段によって制御される前記複数の機能の一部または全部が制御不可能となるように制限すると共に、前記文字情報を受け取ることで、その制限を解除するものであることを特徴とする請求項６に記載の記録再生機器。
【請求項８】
記録媒体に対して情報の記録再生を行なう記録再生機器とネットワークを介して接続され文字入力処理が実行されるコンピュータに、前記記録再生機器から前記ネットワークを介して文字入力要求を行なうステップと、
前記記録再生機器が、前記コンピュータに入力された文字情報を前記ネットワークを介して受信するステップと、
を具備したことを特徴とする記録再生機器の文字入力方法。
【請求項９】
記録媒体に対して情報の記録再生を行なう記録再生機器
を文字情報入力可能状態に設定するステップと、
前記記録再生機器と文字情報入力処理が実行されるコンピュータとをネットワークで接続するステップと、
前記記録再生機器から前記コンピュータに対して前記ネットワークを介して文字入力処理を要求するコマンドを送信するステップと、
前記コンピュータに入力された文字情報を前記ネットワークを介して前記記録再生機器に送信するステップと、
前記コンピュータから送信された文字情報を前記記録再生機器で受信するステップと、
受信した文字情報を利用するステップと、
を具備したことを特徴とする記録再生機器の文字入力方法。
【請求項１０】
複数の操作キーを備えた入力手段によって複数種の機能が制御されるると共に記録媒体に対して情報の記録再生を行なう記録再生機器と文字情報入力処理が実行されるコンピュータとをネットワークで接続するステップと、
前記入力手段の操作に基づいて、前記記録再生機器を文字入力を受け付け可能状態に設定すると共に、前記ネットワークを介して前記コンピュータに文字入力要求を通知するステップと、
前記入力手段によって制御される前記記録再生機器の機能の一部または全部を制限不可能に制限するステップと、
前記コンピュータに入力された文字列情報を前記ネットワークを介して受け取ると共に、前記入力手段による機能制御に対する前記制限を解除するステップと、
でなることを特徴とする記録再生機器の文字入力方法。
【発明の詳細な説明】
【技術分野】
【０００１】
この発明は、記録再生機器において、記録したコンテンツに例えばタイトルを付加するときに使用する文字入力システムに関し、特に記録再生機器がパーソナルコンピュータ等の制御コンピュータと接続された環境において、コンピュータの文字入力処理機能を利用して文字入力を簡単に行うことができるようにした記録再生機器の文字入力システム、記録再生機器の文字入力方法及び記録再生機器に関する。
【背景技術】
【０００２】
ＤＶＤ（Digital Versatile Disk）レコーダ等の記録再生機器においては、ディスクに記録した放送番組等のコンテンツを再生する際に、各コンテンツのタイトルのリストをモニタ画面に表示し、ユーザは例えばリモートコントローラを操作して、再生したいタイトルを選択することで、そのコンテンツが再生されるように構成されている。
【０００３】
デジタルテレビジョン放送においては、番組のタイトルを構成する情報が付加情報として放送に多重伝送されており、所望の番組を録画する際に、番組を構成するデータと共に、そのタイトルを構成するデータをディスクに記録することが可能であり、再生の際にそれを利用することができる。
【０００４】
しかしながら、一般のアナログテレビジョン放送においては、番組タイトルは、録画が終了してから、ユーザが編集作業によって入力する必要がある。そのタイトルを入力するために、ＤＶＤレコーダには、リモートコントローラを用いた文字入力システムが備えられている。
【０００５】
この文字入力システムは、例えば、英数文字、ひらがな、カタカナ、記号等の文字を選択的にモニタの画面に表示させ、リモートコントローラのカーソルキーで入力したい文字、記号を選択してから決定キーを操作することで登録（入力）されるような構成になっている。
【０００６】
日本語の漢字混じりの文章を入力するには、いろは５０文字を画面表示させ、漢字混じりの文節の読みに相当するひらがなを一字ずつ拾って組み合わせ、最後に変換キーを操作するという手順が必要になる。また、複雑な漢字を含む場合、変換がうまくいかず、漢字一字ずつ変換する作業が必要になることもある。
【０００７】
このように、ＤＶＤレコーダに適用されている文字入力システムは、極初期のワープロ等と同等の能力しか備えておらず、使い勝手が悪いものであった。
【０００８】
ＤＶＤ等の記録再生機器において、文字入力を簡単に行う装置の提案は、従来からなされおり、例えば特許文献１には、ネットワークで接続された複数の家電機器の一つにキーボードを備えると共に、このキーボードから入力された文字データを格納する手段を備え、各家電機器から文字データ格納手段にアクセスしてデータを取り込むようにした提案が示されているが、この提案の場合、複数の家電機器から共通にアクセスできる文字データ格納手段が必要でシステムが複雑になり、文字データの取得も他の家電機器との関係において行わなければならず、使い勝手が必ずしもよくないという問題があった。
【特許文献１】特開２００３−１４０９９８号公報（３，４頁、図１，２）
【発明の開示】
【発明が解決しようとする課題】
【０００９】
以上のように、従来、記録再生機器に搭載されている文字入力システムは、リモートコントローラのキーを駆使して入力する必要があり、使い勝手がよくなかった。また、ネットワークを用いたものでは、文字の入力そのものを簡単に行うことができるが、入力とは別に文字データを取り込む際に操作が必要であり、この場合でも使い勝手がよいと言えるものではない。
【００１０】
本発明は、以上の点に考慮してなされたものであり、記録再生機器とネットワークで接続されたコンピュータが存在する環境において、記録再生機器から文字入力処理要求を発することで、コンピュータがそれを認識して、文字入力画面を表示し、文字入力後に、送信処理を実行することで、文字入力処理要求を出した記録再生機器に対して文字データを送信するように構成したものである。以上により、使い勝手の良好な記録再生機器用の文字入力システムを提供するものである
【課題を解決するための手段】
【００１１】
本発明の記録再生機器の文字入力システムは、記録媒体に対して情報の記録再生を行なう記録再生機器と、この記録再生機器とネットワークを介して接続され、文字入力処理が実行されるコンピュータと、前記記録再生機器に設けられ、前記コンピュータの文字入力処理によって入力された文字列情報を前記ネットワークを介して受け取る制御手段と、を具備したことを特徴とする。
【００１２】
本発明の記録再生機器の文字入力システムは、記録媒体に対して情報の記録再生を行なう記録再生機器と、この記録再生機器とネットワークを介して接続されたコンピュータと、前記記録再生機器を文字入力を受付け可能状態に設定すると共に、前記ネットワークを介して前記コンピュータに文字入力要求を通知し、当該コンピュータに入力された文字列情報を前記ネットワークを介して受け取る制御手段と、を具備したことを特徴とする。
【００１３】
本発明の記録再生機器の文字入力システムは、記録媒体に対して情報の記録再生を行なう記録再生機器と、複数の操作キーを備え、前記記録再生機器の複数種の機能を制御することが可能な入力手段と、前記記録再生機器とネットワークを介して接続されたコンピュータと、前記入力手段の操作に基づいて、前記記録再生機器を文字入力を受け付け可能状態に設定すると共に、前記ネットワークを介して前記コンピュータに文字入力要求を通知し、さらに当該コンピュータに入力された文字列情報を前記ネットワークを介して受け取る制御手段であって、当該制御手段が、前記文字入力要求通知を前記コンピュータに送信した後は、前記入力手段の操作によって制御される前記記録再生機器の機能の一部または全部を制御不可能に制限し、前記コンピュータから前記文字列情報を受け取った後は、前記入力手段に対する前記制限を解除するものであることを特徴とする。
【００１４】
本発明の記録再生機器は、記録媒体に対して情報の記録再生を行なう記録再生手段と、文字情報を入力可能状態に設定する設定手段と、外部コンピュータに対してネットワークを介してデータを伝送しかつデータを受け取る通信手段と、前記設定手段によって文字情報入力可能状態に設定された際に、前記通信手段を介して文字情報入力要求通知を送出すると共に、前記ネットワークを介して伝送される文字情報を受け取る制御手段と、を具備したことを特徴とする。
【００１５】
本発明の記録再生機器の文字入力方法は、記録媒体に対して情報の記録再生を行なう記録再生機器とネットワークを介して接続され文字入力処理が実行されるコンピュータに、前記記録再生機器から前記ネットワークを介して文字入力要求を行なうステップと、前記記録再生機器が、前記コンピュータに入力された文字情報を前記ネットワークを介して受信するステップと、を具備したことを特徴とする。
【００１６】
本発明の記録再生機器の文字入力方法は、記録媒体に対して情報の記録再生を行なう記録再生機器を文字情報入力可能状態に設定するステップと、前記記録再生機器と文字情報入力処理が実行されるコンピュータとをネットワークで接続するステップと、前記記録再生機器から前記コンピュータに対して前記ネットワークを介して文字入力処理を要求するコマンドを送信するステップと、前記コンピュータに入力された文字情報を前記ネットワークを介して前記記録再生機器に送信するステップと、前記コンピュータから送信された文字情報を前記記録再生機器で受信するステップと、受信した文字情報を利用するステップと、を具備したことを特徴とする。
【００１７】
本発明の記録再生機器の文字入力方法は、複数の操作キーを備えた入力手段によって複数種の機能が制御されるると共に記録媒体に対して情報の記録再生を行なう記録再生機器と文字情報入力処理が実行されるコンピュータとをネットワークで接続するステップと、前記入力手段の操作に基づいて、前記記録再生機器を文字入力を受け付け可能状態に設定すると共に、前記ネットワークを介して前記コンピュータに文字入力要求を通知するステップと、前記入力手段によって制御される前記記録再生機器の機能の一部または全部を制限不可能に制限するステップと、前記コンピュータに入力された文字列情報を前記ネットワークを介して受け取ると共に、前記入力手段による機能制御に対する前記制限を解除するステップと、でなることを特徴とする。
【発明の効果】
【００１８】
本発明によれば、記録再生機器からネットワークネットを介して接続されたコンビュータに文字入力処理要求を発信すると共に、コンピュータに入力された文字情報を、記録再生機器がネットワークを介して受信して、受信した文字情報を記録再生機器で利用できるようにしたので、文字入力時の操作を簡単に行なうことができるため、使い勝手が向上するものである。
【発明を実施するための最良の形態】
【００１９】
以下、この発明の実施例を図面を参照しながら説明する。図１は、本発明の記録再生機器の文字入力システムを示す構成図である。図１において、文字入力システムは、記録再生機器としてのＤＶＤレコーダ１１と、このＤＶＤレコーダ１１にケーブル１２で接続されたモニタ１３およびＤＶＤレコーダ１１とイーサネット（Ethernet：登録商標）１４で接続された制御コンピュータ１５とで構成される。
【００２０】
ＤＶＤレコーダ１１は、テレビジョン放送番組等を録画再生する機能の他、録画した番組のタイトルを番組と共に記録する機能を有し、リモートコントローラ及び操作入力部で構成される入力手段１６を介して、ユーザによって機能の切換え、調整等が行われる。
【００２１】
また、モニタ１３は、例えばテレビジョン受信機で構成され、ＤＶＤレコーダ１１の再生映像信号を映出し、また再生音声信号を音として出力するモニタとしての機能と、ＤＶＤレコーダ１１の初期設定のためのメニュー画面の表示、あるいは機能の調整状況等を表示する機能を有する。
【００２２】
制御コンピュータ１５は、モニタとキーボード入力手段１７を備えたパーソナルコンピュータで構成され、例えば文字入力のためのＪａｖａ（登録商標）アプレットによるクライアントアプリケーションを備え、ＯＳ（Operation System）を問わずネットワークを介して文字列の通信を可能としている。
【００２３】
以上のように構成されたシステムにおいて、ＤＶＤレコーダ１１でタイトル等の文字列を記録しようとする場合、ユーザは入力手段１６によって、文字入力ための信号をＤＶＤレコーダ１１に入力する。それによって、ＤＶＤレコーダ１１は、イーサネット１４を介してコンピュータ１５との接続がされているか否かを判断して、接続されている場合、コンピュータ１５に対して文字入力起動要求をネットを通じて行う。
【００２４】
コンピュータ１５は、文字入力起動要求を受けると、ディスプレイに文字入力のための画面を表示して、入力手段１７からの文字入力を可能とする。ユーザが、文字を入力して送信処理を実行することで、入力された文字列がネットを通じてＤＶＤレコーダ１１に送られる。ＤＶＤレコーダ１１では、送信された文字列を取り込んで記憶し、記録媒体への記録のために使用する。
【００２５】
また、ＤＶＤレコーダ１１は、ユーザが入力手段１６によって文字入力のための信号を入力した際に、コンピュータ１５と接続がなされていない場合は、リモートコントローラによって文字を入力すべく、モニタ１３に文字入力のための画面を表示させ、ユーザがそれを見ながら文字を入力するように構成されている。このリモートコントローラによる文字入力は、従来のシステムそのものである。
【００２６】
図２は、図１に示すＤＶＤレコーダ１１の具体的回路構成を示す回路ブロック図である。図２において、ＤＶＤレコーダ１１は、ＴＶ（Television）チューナ２０１、ＡＶ入力部２０２、エンコーダ部２０３、ディスクドライブ部２０４、デコーダ部２０５、ＡＶ出力部２０６、ＭＰＵ（Micro Processing Unit）２０７、メモリ２０８、操作入力部２０９、リモコンＩ／Ｆ（Interface）２１０、通信制御部２１１を備えている。
【００２７】
ＴＶ（Television）チューナ２０１は、図示しないアンテナに接続され、このアンテナを介して供給されるアナログテレビジョン放送信号の所望のチャネルを選局して復調し、ベースバンドのテレビジョンコンポジット信号としてエンコーダ部２０３に送る。
【００２８】
ＡＶ（Audio Visual）入力部２０２は、外部のオーディオ・ビデオ機器等から出力されるＡＶ信号を入力し、それをエンコーダ部２０３に送る。
【００２９】
エンコーダ部２０３は、ＭＰＵ２０７の制御の下、ＴＶチューナ２０１またはＡＶ入力部２０２から供給されるアナログベースバンドＡＶ信号をデジタル圧縮符号化された信号に変換するエンコード処理を実行する。このエンコード処理によって、ＡＶ信号は、例えばＭＰＥＧ（Moving Pictuer Experts Group）２規格または、ＤＶＤフォーマット等に対応した圧縮符号化デジタルデータ列として出力される。
【００３０】
ディスクドライブ部２０４は、ＭＰＵ２０７の制御の下、ディスク２１２を駆動して、圧縮符号化されたデジタルデータ列に変換されたＡＶ信号を記録する処理、及びディスク２１２からＡＶ信号を読み出す処理を実行するもので、この処理を行うために、図示しないディスクドライブと、一時記憶部を有している。
【００３１】
ディスク２１２は、ＤＶＤの記録型メディア、あるいはＤＶＤ再生専用メディアである場合の他、ＨＤＤ(Hard Disk Drive）であってもよく、ディスクドライブは、それらのいずれかまたは、両方を個々に駆動することが可能である。一時記憶部は、ディスクドライブへの書き込みデータまたはディスクドライブからの読み出しデータを一時的に保存するためのバッファメモリである。
【００３２】
ディスク２１２から読み出されたデータは、ディスクドライブ部２０４からデコーダ部２０５に送られ、デコーダ部２０５では、ＭＰＵ２０７の制御の下、圧縮符号化されたＡＶ信号を複合するためのデコード処理を実行する。このデコード処理によって複合されたＡＶ信号は、ＡＶ出力部２０６を介してモニタ１３へ出力される。
【００３３】
ＭＰＵ２０７は、ＤＶＤレコーダ１１の動作を制御するために設けられたメインＣＰＵ（Central Processing Unit）である。ＭＰＵ２０７は、メモリ２０８に記憶されたプログラムにしたがって、各部の制御を行う他、メモリ２０８に蓄えられた文字、記号、キャラクタ等のデータに基づき、ＤＶＤレコーダ１１の例えば初期設定のためのＧＵＩ（Graphical User Interface）形式の、メニュ画面信号を生成する機能を有する。さらに、例えば編集時にタイトルを構成する文字列を入力するための文字入力画面信号を生成する機能を有する。それら画面信号は、デコーダ部２０５を介してＡＶ出力部２０６からＯＳＤ（On Screen Display）信号として出力することが可能である。
【００３４】
操作入力部２０９は、ＤＶＤレコーダ１１の前面パネルに設けられた複数の操作ボタンで構成され、ＤＶＤレコーダ１１の動作を設定し、機能を制御するための信号をＭＰＵ２０７に出力する。
【００３５】
リモコンＩ／Ｆ２１０は、リモートコントローラ２１３から送信されるリモートコントロール信号を受信してそれをＭＰＵ２０７に伝送する。
【００３６】
通信制御部２１１は、ＤＶＤレコーダ１１をコンピュータネットワーク１４に接続するためのデバイスであり、ネットワーク１４を介してコンピュータ１５との通信を実行するものでネットワークインターフェースコントローラで構成される。通信制御部２１１は、伝送するデータを所定のプロトコルの信号に変換すると共に、送られてくるプロトコル信号を元の信号に変換する。ＤＶＤレコーダ１１をインターネットに接続する場合には、通信制御部２１１は、ＡＤＳＬ（Asymmetric Digital Aubscriber Line）回線等に接続されたモデムあるいはルータにＬＡＮ（Local Area Network）を介して接続される。
【００３７】
図３は、図１に示すコンピュータ１５の具体的回路構成を示すブロック図である。コンピュータ１５は一般的な構成でなり、ＭＰＵ３０１、ＲＯＭ（Read Only Memory）３０２、ＲＡＭ（Randam Access Memory）３０３を備えそれらがバス３０４を介して接続されている。さらに、バス３０４に接続されたキーボードＩ／Ｆ３０５と、ディスプレスドライブ３０６と、通信Ｉ／Ｆ３０７を備える。また、キーボードＩ／Ｆ３０５には、キーボード３０８が接続され、ディスプレイドライブ３０６には、ディスプレイ３０９が接続されている。
【００３８】
ＭＰＵ３０１は、メインＣＰＵであり、ＲＯＭ３０２に記憶されたプログラムにしたがって、ＲＡＭ３０３をワークメモリとして使い、処理を実行する。
【００３９】
キーボード３０８は、文字データをキーボードＩ／Ｆ３０５を介して、ＭＰＵ３０１に送り、ＭＰＵ３０１がＲＯＭ３０２に記憶されている対応する文字信号を読み出してバス３０４を介してＲＡＭ３０３に保存すると共に、それがバス３０４を介してディスプレイドライブ３０６を介してディスプレイ３０９に供給され表示される。また、キーボード３０８から入力される文字データは、コマンドとしてＭＰＵ３０１を介してコンピュータ１５を制御する。
【００４０】
文字信号を表示する処理は、図１でも説明したが、例えば、Ｊａｖａ（登録商標）アプレットのクライアントアプリケーションによってなされものであり、そのプログラムは、例えばＤＶＤレコーダ１１からネットワーク１４を介して供給（ダウンロード）することが可能であるが、ＲＯＭ３０２に予め記憶されているものとすることもできる。
【００４１】
通信Ｉ／Ｆ３０７は、ＭＰＵ３０１の制御の下、通信すべきデータを所定の通信プロトコルの信号へ変換して出力し、かつ送られてくるプロトコル信号を元のデータに変換する。それによってネットワーク１４を介してＤＶＤレコーダ１１との通信を実行する。通信Ｉ／Ｆ３０７は、コンピュータ１５をインターネットに接続する場合には、ＡＤＳＬ回線等に接続されたモデムあるいはルータにＬＡＮを介して接続される。
【００４２】
以上のように構成されたＤＶＤレコーダ１１とコンピュータ１５とをネットワーク１４を介して接続し、ＤＶＤレコーダ１１に対して文字入力処理を実行する際の動作について説明する。
【００４３】
図２に示すＤＶＤレコーダ１１において、文字入力処理を実行しようとする場合、ユーザは、例えばリモートコントローラ１６を操作して、文字入力処理を実行させるための信号をリモコンＩ／Ｆ２１０を介してＭＰＵ２０７に送る。
【００４４】
それによって、ＭＰＵ２０７は、まず、コンピュータ１５がネットワーク１４に接続されているか否かの判定を行う。すなわち、コンピュータ１５がネットワーク１４上で動作可能か否かの判定を行う。その結果、動作可能状態にあると判定されたら、ＧＵＩ形式のメッセージをモニタ１３に表示するための信号を生成して、デコーダ部２０５とＡＶ出力部２０６を介してモニタ１３に送りそれを表示させる。それと同時に、通信制御部２１１からネットワーク１４を介してコンピュータ１５に文字入力処理起動要求信号を伝送する。
【００４５】
モニタ１３に表示されるメッセージは、図４に示すように、コンピュータによる代替文字入力が実行中であることと、必要に応じて、コンピュータ１５による文字入力処理をキャンセルするための選択項目「キャンセル」が表示されている。
【００４６】
一方、コンピュータ１５では、ネットワーク１４を介して伝送された文字入力処理起動要求信号を通信Ｉ／Ｆ３０７で受けて、データをＭＰＵ３０１に送る。
【００４７】
それによって、ＭＰＵ３０１は、文字入力、及び送信用の画面表示を行うための信号を生成して、ディスプレイライブ３０６を介してディスプレイ３０９に表示させる。
【００４８】
ディスプレイ３０９で表示される文字入力用の画面は、図５に示すように、ディスプレイタ３０９の画面下部に、入力された文字列を表示するための文字列表示領域３０９ａと、ＧＵＩ形式の「送信」項目３０９ｂと「キャンセル」項目３０９ｃが表示される。
【００４９】
ユーザは、図５に示すディスプレイ３０９の画面表示を見ながら、キーボード３０８を操作して文字列を入力する。入力された文字列は、ＲＡＭ３０３に一旦記憶されると共に、ディスプレイ３０９の文字列表示領域３０９ａに表示される。
【００５０】
文字列の入力が完了したら、ユーザは、カーソルを「送信」３０９ｂに移して、リターンキーを操作する。それによって、ＭＰＵ３０１の制御の下、ＲＡＭ３０３に記憶されている文字列が、バス３０４から通信Ｉ／Ｆ３０７に移されて、ネットワーク１４を介してＤＶＤレコーダ１１に伝送される。このとき、コンピュータ１５は文字列と一緒に文字入力完了通知を伝送する。
【００５１】
ＤＶＤレコーダ１１は、ネットワーク１４を介してコンピュータ１５から伝送される文字列を通信制御部２１１で受信して、ＭＰＵ２０７に取り込み、ＭＰＵ２０７は、取り込んだ文字列をメモリ２０８に蓄える。文字列の取り込み処理は、コンピュータ１５から文字入力完了通知が送られるまで実行される。
【００５２】
文字列を録画番組のタイトルとして利用する場合には、ＤＶＤレコーダ１１では、メモリ２０８から文字列を読出して、エンコーダ部２０３を介してディスクドライブ部２０４に送り、ディスク２１２に記録させる。タイトル文字列を入力する場合には、タイトル入力用の画面を表示させてその入力枠内にコンピュータ１５からの文字列を表示させてから、ディスク２１２に記録する。タイトル入力用の画面は、例えば、リモートコントローラ２１３を操作した際に、ＭＰＵ２０７がそれを表示するための信号を生成してデコーダ部２０５、ＡＶ出力部２０６を介してモニタ１３に表示させれる。ユーザはその画面を見て、例えばコピー、貼り付け等の処理によって文字を入力することになる。
【００５３】
なお、文字入力処理は、図４，５の画面表示からもわかるように、処理の途中でキャンセルすることが可能であるように構成されており、そのキャンセル処理を含めた、ＤＶＤレコーダ１１とコンピュータ１５間のコマンドのやり取りを図６に示す。
【００５４】
図６に示すように、制御対象機器としてのＤＶＤレコーダ１１内で、文字入力処理６０１が起動されると、ＤＶＤレコーダ１１から文字入力起動要求コマンド６０２がコンピュータ１５に送られる。そしてコンピュータ１５での文字入力が実行され、ＤＶＤレコーダ１１に対して送信されると、コンピュータ１５から文字入力完了通知コマンド６０３がＤＶＤレコーダ１１に送られる。そして、ＤＶＤレコーダ１１内で入力文字の反映処理６０４がなされる。以上が通常の文字入力処理である。
【００５５】
次に、コンピュータ１５側で文字入力処理のキャンセルがなされた場合には、ＤＶＤレコーダ１１内で、文字入力処理６０５が起動されると、ＤＶＤレコーダ１１から文字入力起動要求コマンド６０６がコンピュータ１５に送られる。コンピュータ１５で、図５に示す文字入力画面に基づき、キャンセルが実行されると、コンピュータ１５から文字入力キャンセル通知コマンド６０７がＤＶＤレコーダ１１に送られて、文字入力処理がそこで終了する。以上が文字入力キャンセル処理１である。
【００５６】
さらに、文字入力処理が開始された後に、ＤＶＤレコーダ１１でキャンセルがなされた場合には、ＤＶＤレコーダ１１内で、文字入力処理６０８が起動されると、ＤＶＤレコーダ１１から文字入力起動要求コマンド６０９がコンピュータ１５に送られる。コンピュータ１５による文字入力処理が完了しないうちに、ＤＶＤレコーダ１１によって、図４にす画面表示に基づいてキャンセルが実行されると、ＤＶＤレコーダ１１からコンピュータ１５に対して文字入力キャンセル通知コマンド６１０が送られ、コンピュータ１５の文字入力処理がキャンセルされ、さらにコンピュータ１５からＤＶＤレコーダ１１に対して、文字入力処理をキャンセルしたことを示す文字入力キャンセル通知コマンド６１１が送られて、処理がそこで終了する。以上が、文字入力キャンセル処理２である。
【００５７】
図７は、図６で説明したＤＶＤレコーダ１１とコンピュータ１５間でやり取りされるデータの構造を示すものである。すなわち、文字入力起動要求コマンドまたは、文字入力キャンセルコマンドと、初期文字列長を示すデータと、文字列そのもののデータで構成される。
【００５８】
図８は、ＤＶＤレコーダ１１の動作を説明するためのフローチャートである。図８において、ステップＳ８０１で開始され、ステップＳ８０２で文字入力処理が発生したか否かの判定がなされる。文字入力処理が発生したことが判定されたら、ステップＳ８０３でＤＶＤレコーダ１１がコンピュータ１５とネットワークで接続されているか否かの判定がなされ、接続されていると判定されたら、ステップＳ８０４でコンピュータ１５に文字入力処理起動要求を送信する。
【００５９】
次いで、ステップＳ８０５で、図４に示す入力完了待ち、またはキャンセル画面を表示して、コンピュータ１５の文字入力が完了するかまたはキャンセルされるのを待つ。次いでステップＳ８０６で、図４に示す画面に基づくコンピュータ１５による文字入力処理のキャンセル指示があったか否かの判定がなされる。
【００６０】
ステップＳ８０６で文字入力処理をキャンセルする指示がない場合、ステップＳ８０７に移って、コンピュータ１５から文字入力処理をキャンセルした旨の通知があったか否かの判定がなされる。コンピュータからキャンセル通知がない場合、ステップＳ８０８でコンピュータから送られる文字列を取り込み、次いでＳ８０９で、コンピュータ１５から入力完了通知があったか否かの判定がなされ、通知がない場合ステップＳ８０５に戻る。文字入力が完了した旨の通知がコンピュータ１５からなされた場合、ステップＳ８１０で、入力された文字列をモニタ１３の画面に表示して、ステップＳ８１１で処理を終了する。
【００６１】
また、ステップＳ８０６で、コンピュータ１５による文字入力処理をキャンセルする指示があった場合、ステップＳ８１２で、コンピュータ１５に対して、文字入力処理をキャンセルする旨の通知を送り、次いでステップＳ８１３でコンピュータ１５からキャンセルする旨の通知が帰ってきたか否かの判定がなされ、キャンセル通知があったら、ステップＳ８１４でモニタ１３に初期文字列または空文字列を表示して処理を終了する。
【００６２】
さらに、ステップＳ８０７で、コンピュータ１５から文字入力をキャンセルする旨の通知があった場合には、ステップＳ８１４に移る。またステップＳ８０３で、ＤＶＤレコーダ１１がコンピュータ１５とネットワークで接続されていないと判断されたら、ステップＳ８１５によってモニタ１３の画面表示と、リモートコントローラ２１３を用いた従来の方法で文字を入力して、処理を終了する。
【００６３】
図９は、図３に示すコンピュータ１５の動作を説明するためのフローチャートである。図９において、ステップＳ９０１で開始され、ステップＳ９０２で制御対象機器から文字入力入力要求があったか否かの判定がなされ、文字入力要求を受けたら、ステップＳ９０３で文字入力をするために図５に示す表示をディスプレイ３０９に行なう。
【００６４】
次いで、ステップＳ９０４で、キャンセルを指示する入力があったか否かの判定がなされ、キャンセルを指示する入力がない場合には、ステップＳ９０５に移って制御対象機器からキャンセル要求通知があったか否かの判定を行い、通知がない場合、ステップＳ９０６でディスプレイ３０９に表示された文字入力用画面に基づいて、ユーザがキーボード３０８を操作して文字を入力する。
【００６５】
次いで、ステップＳ９０７で入力された文字列を制御対象機器に送信すると共に、文字入力完了通知を文字列と一緒に制御対象機器に送り、ステップＳ９０２に戻って制御対象機器から文字入力要求が発せられたか否かの監視を行なう。
【００６６】
また、ステップＳ９０４でキャンセル指示があるか、または、ステップＳ９０５で制御対象機器からキャンセル通知があった場合には、ステップＳ９０８で文字入力処理をキャンセルし、次いでステップＳ９０９で制御機器に対してキャンセル通知を発信して、ステップＳ９０２に戻る。
【００６７】
以上説明したように本発明の、記録再生機器の文字入力システムによれば、記録再生機器とコンピュータがネットワークで接続されている状態において、コンピュータに具備されているあるいは記録再生機器からコンピュータに供給した文字入力用クライアントを用いて、記録機器に対する文字入力処理を行なうことができるため、使い慣れたパソコン用の文字変換処理を適用することができ、文字入力を簡単に、かつ効率的に行なうことができるようになるものである。
【００６８】
なお、ＤＶＤレコーダ１１が、コンピュータ１５に対して文字入力要求通知を発した後においては、ＤＶＤ１１は、ユーザの操作を全て受け付けるのは好ましくない。すなわち、文字入力要求通知を発した後においては、パソコンから文字列が伝送されてくるまで、少なくとも図４に示す画面がモニタ１３に表示される動作状態を維持しておく必要がある。
【００６９】
このため、例えば、ＤＶＤレコーダ１１のＭＰＵ２０７は、コンピュータ１５に文字入力要求が発せられた後は、例えばリモートコントローラ２１３から送信される信号の一部あるいは全ての受付を拒否するようになる。その状態は、コンピュータ１５から文字入力完了通知が送られるまで継続される。このユーザによる操作制限は、操作入力部２０９の操作に対して実行してもよいことは述べるまでもない。
【００７０】
図１０は、ユーザによるＤＶＤレコーダ１１の操作を制限する処理も含めた、ＤＶＤレコーダ１１の動作を説明するためのフローチャートである。図１０において、図８のフローチャートと異なる点は、図８のステップＳ８０５に操作の制限処理が加えられ、ステップＳ１００５として実行されることと、図８のステップＳ８１０に操作制限を解除する処理が加えられて、ステップＳ１０１０として実行されることであり、他のステップは、図８と同一である。したがって詳細な説明は省略する。
【００７１】
なお、ＤＶＤレコーダ１１とコンピュータ１５間における各種通知の伝送方式は、ＤＶＤレコーダ１１とコンピュータ１５のうちいずれをサーバとして動作させるかによって、変わってくる。
【００７２】
例えば、ＤＶＤレコーダ１１をサーバとして働かせれば、ＤＶＤレコーダ１１は、コンピュータ１５からの接続要求を待つ。コンピュータ１５から接続要求が発したら、ＤＶＤレコーダ１１とコンピュータ１４は、接続状態にあるとみなし、文字入力処理発生時には、モニタ１３に文字入力用の画面表示をせずに、コンピュータ１５に文字入力要求通知を行なう。通信は、ソケット通信で行なうことができ、図７に示す構造のデータにて行なうことができる。接続が切断された時点で、接続状態から非接続状態に移行し、それ以降は文字入力処理が起動しても接続通知は行なわない。
【００７３】
また、コンピュータ１５をサーバとして構成すると、ＤＶＤレコーダ１１で文字入力が発生した場合には、ＤＶＤレコーダ１１からコンピュータ１５に接続する。接続完了後、図７に示す構造のデータにて、コンピュータ１５に対して入力処理起動要求をソケット通信によって行なう。
【００７４】
以上説明した実施の形態においては、記録再生機器とコンピュータをインターネットで接続するように構成したが、本発明はそれに限定されるものではなく、例えば、図１１に示すように、記録再生機器とコンピュータをシリアル通信手段あるいは、ブルートゥース（Bluetooth：登録商標）による接続手段１１０１を用いるように構成することもできるものである。図１１において、図１と同じ構成部分に同じ符号を付す。
【００７５】
さらにまた、記録再生機器とコンピュータを１対１の関係で接続するのではなく、図１２に示すように、複数の記録再生機器１１ａ，１１ｂ，１１ｃをコンピュータ１５とネットワーク１４で接続するように構成することも可能である。その他、本発明は、その趣旨を変更しない範囲で種々実施可能であり、記録再生機器としては、ＤＶＤレコーダに限らず、例えばＨＤＤのみを備えた機器であってもよく、ＶＴＲ（Video Tape Recorder）であってもよい。
【図面の簡単な説明】
【００７６】
【図１】本発明に係る記録再生機器の文字入力システムの構成を示す図。
【図２】図１に示すシステムに適用される記録再生機器の具体的回路構成図。
【図３】図１に示すシステムに適用されるコンピュータの具体的回路構成図。
【図４】図２に示す記録再生機器の動作を説明するための図。
【図５】図３に示すコンピュータの動作を説明するための図。
【図６】図１に示すシステムにおいて、記録再生機器とコンピュータ間で伝送されるコマンドを説明するための構成図。
【図７】図１に示すシステムおいて、伝送されるデータ構造を示す構成図。
【図８】図２に記録再生機器の動作を説明するためのフローチャート。
【図９】図３にコンピュータの動作を説明するためのフローチャート。
【図１０】本発明の他の実施の形態の動作を説明するためのフローチャート。
【図１１】本発明の記録再生機器の文字入力システムの他の実施の形態を示す構成図。
【図１２】本発明の記録再生機器の文字入力システムのさらに他の実施の形態を示す構成図。
【符号の説明】
【００７７】
１０…記録再生機器の文字入力システム
１１…制御対象機器
１２…ＡＶ接続ケーブル
１３…モニタ
１４…ネットワーク
１５…制御用コンピュータ
１６、１７…入力手段
２１２…ディスク
２１３…リモートコントローラ
【図１】
2005078709.tif 000003
【図２】
2005078709.tif 000004
【図３】
2005078709.tif 000005
【図４】
2005078709.tif 000006
【図５】
2005078709.tif 000007
【図６】
2005078709.tif 000008
【図７】
2005078709.tif 000009
【図８】
2005078709.tif 000010
【図９】
2005078709.tif 000011
【図１０】
2005078709.tif 000012
【図１１】
2005078709.tif 000013
【図１２】
2005078709.tif 000014